(57)【要約】      （修正有）【課題】  家庭介護及び病院介護に於いて介護者の怪我及び介助者の腰が悪くなる場合が非常に多い、介護者を搬送する場合、ベットからの乗降、車椅子からの乗降、トイレへの搬送、又は搬歩する場合等、介護者が介助者の掴み所が少ない事、介助者が介護者の掴み所が不安定で力の入れ具合が悪く腰痛を起こす。これを解決する為にそれぞれのバンドを作製する。【解決手段】  先ず介護者が介助者の体を掴み易い様に、肩腕、胸、脇、肩、腰バンド、握り手、を作製し介助者自身に着用する。次に介助者が介護者を扱い易い様に介護者に腰バンド、介助者用握り手を着ける。  この二つのバンドは簡単に着脱出来る物とする。【選択図】図１２
0003118095.tif 000002
【実用新案登録請求の範囲】
【請求項１】
介護を補助する為の介助者用のバンド、介護者用握り手。。
【請求項２】
介護をされる側の補助用、介護者用のバンド、介助者用握り手。
【考案の詳細な説明】
【考案の詳細な説明】
【考案が解決しようとする課題】
【０００１】  家庭介護及び病院介護に於いて介護者の怪我及び介助者の腰が悪く成る場合が非常に多い、介護者を搬送する場合、ベットからの乗降、車椅子からの乗降、トイレへの搬送、又は搬歩する場合等、介護者が介助者の掴み所が少ない事、又介助者が介護者の掴み所が不安定で力の入れ具合が悪く腰の痛を起こす。
これを解決する為にそれぞれのバンドを作製する。
【課題を解決するための手段】
【０００２】  先ず介護者が介助者の体を掴み易い様に、肩腕、胸、脇、肩、腰バンド、握り手、を作製し介助者自身に着用する、次に介助者が介護者の体を扱い易い様に介護者に腰バンド、介助者用握り手を着ける。
この二つのバンドは簡単に着脱出来る物とする。
【実施例】
【０００３】  図１、は介護を補助する為の介助者用バンドの正面図と背面図である、１，は肩腕バンド、少し幅広で個人により長さは調節出来る、登山用リックと同じ、２，は胸バンド、後からの力を受け止める、３，は脇バンド前側、５，は脇バンド後側、４，は，肩バンド。６，は垂直背骨バンド１、垂直の力を４，５，と連結し分散する。両肩腕バンド１，を４，と５，で連結固定、両力の力を二分させ、全体のバンドの力を受け止める。７，は脇バンド３，と胸バンド２，の長さ調節器。８，はワンタッチ接続器。９，は個人の長さ調節紐。１０，は腰バンドとのワンタッチ接続器の雌。両肩腕バンド１，と垂直背骨バンド６，との間に後述の介護者用の握り手を着ける。
図２、は図１，に介助者用の腰バンド１５，を取り着けた背面図である。介護者が重傷者、肥満型者の場合に使用する、腰にも力がシッカリと分散して無理な無く、腰に程良く力が掛かり腰に良い。１０，のワンタッチ接続器雌に１１，ワンタッチ接続器雄を連結する。１２，は紐の長さ調節器大、１３，は垂直背骨バンド２、で上部バンドの力を介助者腰バンド１５，に伝え分散する。１４，は長さ調節紐、腰バンド１５，の腹部側はワンタッチ接続器５４，に成っている。
図３，は介護者握り手側面図とａ断面図、取り着け位置図である。４，肩バンドの中央上と両肩腕バンド１，。６，垂直背骨バンド下側、ワンタッチ連結器雌１０，の上側と両肩腕バンド１，下側に介護者が肩越しに握り易い様に図の如く少しハの字形に２段に取り着ける。１６，は介護者握り手側面図、１７，は取り付けバンド、ａの断面図１８，はエンビ板握りの腰の有る様に入れる、１９，は綿、布等、２０，はビニール、皮等。介護者は握り手だけでは無く１，肩腕バンド等、総てのバンドを自由に握れる。これが基本的な介助者バンドである、このバンドだけで、ある程度元気な介護者で有れば充分である。
図４，は介助者用ズボンバンド握り手Ａ型、正面図と側面図とズボン取り付け背面図である。可成り元気な介護者で歩く介助をする為、又は自動車の乗降、車椅子の乗降等の介助者握り手Ａ型である。簡単にワンタッチで取り付け可能、又ワンタッチ接続器でも作製も出来る。２１，は介助者握り手、２２，は取り付けバンド、２３，はバンド２６，に引っ掛ける器具、エンビ板等。２４，は皮、布等、２５，は返し防止板、握り手が外れ無い様に取り着ける。２６，はバンド。２９，は両面ファスナー、２８，はズボン、２７，はバンドトウシ。ズボンバンド介助者握り手Ａ型の取り付けは介護者に依り取り付けは一個でも良い。
図５，はパジャマズボン取り付け器具３５，である。介護者の殆どはパジャマで有り介助者の掴み所が非常に難しい、そこで簡単にパジャマズボンを挟みなかなか抜けない器具を開発した、材料はエンビ板１ｍｍ、３０，は皮膚側、３１，はその反対側、３２，はノコギリ形として布を引っ掛ける役目とする。外側板３０，３１，中側板３３，二枚、とで器具は成り立ちノコギリ歯５箇所で布を３４，で挟み止める。この器具は３５，である。
図６，パジャマズボン取り付け器具３５，のバンド取り付け方Ｂ型Ｉ、ＩＩの側面図である。Ｉ型はバンド２６，と３５，を挟み込むエンビ板２ｍｍ、挟み込み器３７，と３９，固定。パッジャマズボン４０，を３５，で挟み図の如く回転して挟み込み器に３７，に差し込み固定３６，。ＩＩ型は３５，の皮膚側３１，を直接２６，バンドに固定する、バンドその物を回転しパッジャマズボン４０、を挟み元に戻し、バンドを締める。Ｂ型Ｉ、ＩＩをそのままバンドと共に握る事も出来る。
図７，は６図，Ｂ型Ｉ、ＩＩにパジャマズボン介助者握り手の取り付け方側面図である。Ｉ型は挟み器３７，にワンタッチ接続器の雌４２，を図の如く取り付ける、全体の押さえ枠エンビ板２ｍｍ４１，を作りワンタッチ接続器雄４３，を図の如く固定する、４３，を通し４５，取り付けバンドで介助者握り手５１，に繋がる、４４，はワンタッチ差し込み、押さえ枠４１，を押し込みセット４６，。ＩＩ型も同じく差し込む。
図８，はパジャマズボン介助者握り手、Ｃ型Ｉ、ＩＩの装着側面図である。５１，介助者握り手を、４７，の方向へ引き上げる。４５，は介助者握り手柄の調節。
図９，はパジャマズボン腹部側止めＤ型Ｉ、ＩＩ型、取り付け器具側面図である。腹部側止めは背部型３５，の半分以下の幅で形も理論も同じであるが握り手は着けなくて宜しい、下方向の力が掛かるだけで有るから。Ｉ型は挟み器３７，にバンド滑り器４８，を固定、何処の位置にでも固定出来る様に作製、３５，はパジャマズボン４０，を挟み差し込む３６，だけで良い。ＩＩ型はバンド２６，にバンド滑り枠４８，を取り付けそれに布、皮バンド４９，で３５，を固定、パジャマズボンを挟みバンド２６，の裏側へ巻き込み５０，バンドを締める５６，。位置的には自由固定である。
図１０，はパジャマズボン取り付け器具Ｂ型Ｉ、Ｃ型Ｉ、介助者握り手背面装着正面図である。Ｂ型Ｉ、ベルト装着正面。（１）の３７，挟み器はベルト滑り枠４８，を取り付けても良い。パジャマズボン４０，を３５，で挟み回転させ挟み器３７，に差し込む３６，セット正面図。Ｃ型Ｉ、ベルト装着正面図（ＩＩ）はその上から握り手５１，と押さえ枠４１，を差し込んだ正面図で有る。これも同じくベルト滑り枠４８，に取り付けても良い。パジャマズボン背面装着図（Ｉ）は握り手，押さえ枠４１，を差し込まなくても直接Ｂ型Ｉ，とバンド２６，を手５３、で握る事も出来る。パジャマズボン背面装着図（ＩＩ）Ｃ型Ｉの介助者握り手５１，を介助者が握った背面図である。パジャマズボン取り付け器具Ｂ型ＩＩ、Ｃ型ＩＩ，はＩ型と考え方は上述と全く同じ考え方である。
図１１，はパジャマズボン腹部側取り付け器具Ｄ型Ｉ、ＩＩ装着正面図、パジャマズボン装着図である。▲１▼は腹部側Ｄ型Ｉ、セット前正面図である、パジャマズボン４０，を３５，で挟みベルト２６，の裏側へ５０，巻き込む。▲２▼はセット完了正面図。▲３▼はパジャマズボン、腹部側Ｄ型Ｉ，セット完了図。Ｄ型ＩＩ，▲１▼は３５，でパジャマズボン４０，を挟み一回転５５，させ挟み器３７，に差し込む図。Ｄ型ＩＩ，▲２▼はセット完了図。Ｄ型ＩＩ，▲３▼はパジャマズボン腹部側Ｄ型ＩＩ，セット完了図。５４，はワンタッチベルト接続器。
図１２，は介護者搬送図である。▲１▼は介護者搬送側面図。介助者用バンド１，５，介護者用バンド２６，介護者握り手Ｃ型Ｉ、ＩＩ，の位置関係である。▲２▼は介助者搬送背面図。介護者が介護者バンド握り手１６，の２段目を握っている介助者バンドの位置関係である。▲３▼は介護者搬送背面図。介助者が介護者用者バンド２６，の介助者握り手Ｃ型Ｉ、ＩＩを握っている位置関係である。
☆搬送困難な（超肥満型、重症者等）の場合、介助者バンドを逆に介護者に取り着ける事に依り、握り手が多くなり搬送を楽にする、また状況に依り前側、後側を反転して着用使用も可能。
図１３，は介助者の介護者搬歩図である。（Ｉ）は介助者の介護者搬歩の介助者用バンドと介護者用バンドの位置関係、介護者握り手１６，を介護者が握り、介助者が介助者握り手Ｃ型Ｉ、ＩＩを握って搬歩、右側は重傷者、左側は軽傷者、側を握る。（ＩＩ）は外出用搬歩である、介助者握り手Ａ型、介護者握り手１６，又は肩腕バンド１，等。介助者用バンドは内側、その上にリックサックが装着、取り外し可能、介護者の荷物その他が送搬出来る。
図１４，は車椅子の前方落下防止、として介助者握り手に介助者用腰バンド１５，と同じ物を通し図の様に車椅子の後部座席に掛け止めする事により簡単に設置出来る。
【発明の効果】
介護、介助者用バンドを使用する事に依り体の安定が良く、介護者の怪我が少なくなり、介助者の体のバランスも良く腰の負担が少なくなり腰に良い。
【図面の簡単な説明】
【図１】介護を補助する為の介助者バンド正面図、背面図。
【図２】介助者用、腰バンドの取り付け方背面図。
【図３】介護者用、握り手側面図、断面図。背面・取り付け図。
【図４】介助者用ズボンバンド握り手Ａ型正面図、側面図。ズボン取り付け背面図。
【図５】パジャマズボン取り付け器具３５，正面図、側面図。
【図６】パジャマズボン取り付け器具３５，のバンド取り付け方Ｂ型Ｉ、ＩＩ側面図。
【図７】パジャマズボン握り手、取り付け方側面図。
【図８】パジャマズボン握り手、装着Ｃ型Ｉ、ＩＩ側面図。
【図９】パジャマズボン腹部側止めＤ型Ｉ、ＩＩ、取り付け器具側面図。
【図１０】パジャマズボン取り付け器具Ｂ型Ｉ、Ｃ型Ｉ、正面図。パジャマズボン背面装着図。
【図１１】パジャマズボン腹部側、取り付け器具Ｄ型Ｉ、ＩＩ正面図。パッジャマズボン前面装着図。
【図１２】介護者送搬図。
【図１３】介助者の介護者搬歩図。
【図１４】車椅子、前方落下防止バンド、設置図。
【符号の説明】
１，肩腕バンド            ２，胸バンド          ３，脇バンド
４，肩バンド              ５，脇バンド後側      ６，垂直背骨バンド１
７，バンド調節器          ８，ワンタッチ接続器  ９，調節バンド
１０，ワンタッチ接続器雌  １１，ワンタッチ接続器雄
１２，バンド調節器、大    １３，垂直背骨バンド２  １４，バンド調節器大
１５，介助腰バンド        １６，介護者握り手      １７，柄バンド
１８，エンビ板、芯        １９，綿、布            ２０，皮、ビニール
２１，Ａ型介助者握り手    ２２，柄バンド          ２３，バンド掛け器
２４，皮、布              ２５，返し防止板        ２６，バンド
２７，バンドトウシ        ２８，ズボン            ２９，両面ファスナー
３０，反皮膚側エンビ板    ３１，皮膚側エンビ板    ３２，ノコギリ歯
３３，中側板              ３４，挟み力
３５，パジャマズボン取り付け器具                  ３６，押し込み力
３７，挟み込み板、エンビ板２ｍｍ                  ３８，挟み力
３９，挟み込み板とバンド固定                      ４０，パジャマズボン
４１，全体押さえ枠、エンビ板２ｍｍ                ４２，ワンタッチ接続器雌
４３，ワンタッチ接続器雄                          ４４，ワンタッチ差し込み
４５，介助者握り手柄の調節                        ４６，押し込みセット
４７，介助者握り手へ      ４８，バンド滑り枠      ４９，布、皮バンド
５０，巻き込み回転        ５１，介助者握り手      ５２，バンド調節器
５３，腕                  ５４，ワンタッチ接続器  ５５，１８０度回転
５６，バンド締め力
【図１】
0003118095.tif 000003
【図２】
0003118095.tif 000004
【図３】
0003118095.tif 000005
【図４】
0003118095.tif 000006
【図５】
0003118095.tif 000007
【図６】
0003118095.tif 000008
【図７】
0003118095.tif 000009
【図８】
0003118095.tif 000010
【図９】
0003118095.tif 000011
【図１０】
0003118095.tif 000012
【図１１】
0003118095.tif 000013
【図１２】
0003118095.tif 000014
【図１３】
0003118095.tif 000015
【図１４】
0003118095.tif 000016
【手続補正書】
【提出日】平成15年11月19日(2003.11.19)
【手続補正１】
【補正対象書類名】実用新案登録請求の範囲
【補正対象項目名】全文
【補正方法】変更
【補正の内容】
【書類名】実用新案登録請求の範囲    【請求項１】  介護を補助する為の介助者用のバンド。    【請求項２】  介護をされる側の介護者用のバンド。    【０００１】  【考案が解決しようとする課題】  家庭介護及び病院介護に於いて介護者の怪我及び介助者の腰が悪く成る場合が非常に多い、介護者を搬送する場合、ベットからの乗降、車椅子への乗降、トイレへの搬送又は搬歩する場合等、介護者が介護者の掴み所が少ない事に依り滑り落ち怪我をする事が多い、又介助者が介護者の掴み所があまり無く不安定で力の入れ具合が非常に悪く腰を痛める事が多い。これを解決する為にそれぞれのバンドを作製した。    【０００２】  【課題を解決するための手段】  先ず介護者が介助者の体を掴み易い様に、肩腕、胸、脇、肩、腰バンド。及び介護者用握り手、を作製し介助者自身に着用する、介護者はどの部分でも掴める事が出来る様にする。介護者の大部分はパジャマ姿である、依って介助者が介護者の体を扱い易い様に介護者のパジャマズボンに簡単に取り着け可能な介護者用バンドを作製する、このまま直接バンドは握れるが依り握り易い様に介助者用握り手も作製し介護者用パンドに簡単に取り着けられる様にする、又普通のズボンバンドにも簡単に取り着けられる介助者用握り手も作製する。この両者のバンドは簡単に着脱出来る物とする、又個々のバンドは単独でも使用可能な物とする。0003118095.tif 000017
0003118095.tif 000018
0003118095.tif 000019
0003118095.tif 000020
0003118095.tif 000021
0003118095.tif 000022
0003118095.tif 000023
0003118095.tif 000024
0003118095.tif 000025
0003118095.tif 000026
0003118095.tif 000027
【手続補正書】
【提出日】平成16年3月1日(2004.3.1)
【手続補正１】
【補正対象書類名】実用新案登録請求の範囲
【補正対象項目名】全文
【補正方法】変更
【補正の内容】
【実用新案登録請求の範囲】
【請求項１】
介護者を搬送、搬歩する場合、介護者が介助者の体の掴む場所が少く転倒し怪我をする事、また介助者が腰を痛める事が多い、そこで介助者側に肩腕１、胸２、脇３、５、肩４、垂直背骨６、バンドを配置し背中側に介護者握り手１６、を二段に二個宛取り付け、また腰を痛め無い様に力を分散する１３、為に腰バンド１５、と連結可能１１，とし全体は簡単に着脱出来る様に作製、介助者用バンドとした、また介護者用としても使用可能。
【請求項２】
介護者を搬送、搬歩する場合、殆どがパジャマ姿であり介護者の掴み所がなく滑り落としたり転倒させたり怪我をさせる場合が多い、そこで介護者のパジャマズボンに簡単に挟み込み固定３５，が出来、力を入れても外れないバンドにし直接バンドも握れまたそれに握り手５１，も簡単に装着出来る様にし、介護者用のバンドとした、また普通のバンドにも簡単に装着出来る握り手２１，も作製した。
【手続補正２】
【補正対象書類名】明細書
【補正対象項目名】０００１
【補正方法】変更
【補正の内容】
【０００１】  家庭介護及び病院介護に於いて介護者の怪我及び介助者の腰が悪く成る場合が非常に多い、介護者を搬送する場合、ベットからの乗降、車椅子への乗降、トイレへの搬送又は搬歩する場合等、介護者が介護者の掴み所が少ない事に依り滑り落ち怪我をする事が多い、又介助者が介護者の掴み所があまり無く不安定で力の入れ具合が非常に悪く腰を痛める事が多い。これを解決する為にそれぞれのバンドを作製した。
【手続補正３】
【補正対象書類名】明細書
【補正対象項目名】０００２
【補正方法】変更
【補正の内容】
【０００２】  先ず介護者が介助者の体を掴み易い様に、肩腕、胸、脇、肩、腰バンド。及び介護者用握り手、を作製し介助者自身に着用する、介護者はどの部分でも掴める事が出来る様にする。介護者の大部分はパジャマ姿である、依って介助者が介護者の体を扱い易い様に介護者のパジャマズボンに簡単に取り着け可能な介護者用バンドを作製する、このまま直接バンドは握れるが依り握り易い様に介助者用握り手も作製し介護者用パンドに簡単に取り着けられる様にする、又普通のズボンバンドにも簡単に取り着けられる介助者用握り手も作製する。この両者のバンドは簡単に着脱出来る物とする、又個々のバンドは単独でも使用可能な物とする。
【手続補正４】
【補正対象書類名】明細書
【補正対象項目名】０００３
【補正方法】変更
【補正の内容】
【０００３】  図１、は介護を補助する為の介護者用バンドの正面図と背面図である。１，は肩バンド、少し幅広で個人に依り長さは調節出来る、登山用リックと同じ。２，は胸バンド、後ろからの力を受け止める。３，は脇バンド前側、これも同じく後ろ側の力を分散受け止める。４，は肩バンド、介護者握り手１６，の力を１，肩腕バンドと６，垂直背骨バンドとで力を分散受け止める。５，は後ろ側の脇バンドで４，と同じ働き。６，は垂直背骨バンド１，で介護者握り手１６，の力と、介助者用腰バンド１５，を装着した場合の力の伝導役でもある。７，はバンド長さ調節器。８，はワンタッチ接続器小で介助者バンドを簡単に着脱可能な物とする。９，は調節バンド。１０，は腰バンドとの連結ワンタッチ接続器雌。
図２、は図１に介助者用の腰バンド１５，を取り着けた背面図である。介護者が重症者、肥満型の場合に腰に力を無理なく分散する為に使用する、非常に腰に良い。１０，のワンタッチ接続器雌に１１，ワンタッチ接続器雄を連結する。１２，は紐の調節器大。１３，は垂直背骨バンド２で上部バンドの力を介助者腰バンド１５，に伝え分散する。１４，は長さ調節紐大、介助者用腰バンド１５，の腹部側はワンタッチ接続器５３，が着いている。
図３、は介護者握り手正面図とａ断面図と１図の背面図に介助者握り手１６，の取り付け位置図である。４，肩バンドの中央上と両肩腕バンド１，下側に介護者が肩越しに握り易い様に図の如く少しハの字形に二段に取り着ける。１６，は介護者用握り手正面図、１７，は取り付け紐バンド紐。ａの断面図１８，はエンビ板、握り腰の有る様に入れる、１９，は綿、布等、２０，はビニール、皮等。介護者は握り手だけで無く総てのバンドを自由に握れる。このバンドだけで有る程度元気な介護者で有れば充分である。
図４、は有る程度元気な介護者用の普通のズボンバンドに取り着けられる介助者用握り手Ａ型。正面図、バンド取り付け図、ズボンバンド取り付け背面図である。トイレ、散歩、搬歩等、自動車の乗降、車椅子の乗降等に使用簡単にワンタッチで取り付け可能。２１，は介助者用握り手、２２，はバンド紐、２３，はワンタッチ接続器雌、２４，はワンタッチ接続器雄。２２，バンド紐を普通のズボンバンド２６，に通し回転２５，させ２４，を２３，に差し込みセット完了。右図はＡ型二個を背面に普通のバンド２９，に取り着けた背面完成図である。
図５、パジャマズボン挟み器具３５の正面図と側面図、中側挟み器具の正面図と側面図、パジャマズボンの挟み方側面図と挟み完了側面図図である。パジャマズボンを挟みなかなか抜けない器具である材料はエンビ板。３０，は皮膚側、３１，はその反対側。３２，はノコギリ形として布を引っ掛ける役目とする。皮膚側板３０，外側板３１，中側板３３，二枚、とで器具は成り立ち挟み方はノコギリ歯３２，の５箇所でパジャマズボン４０，の上部を３４，で挟み止める。
図６、はパジャマズボン挟み器具３５，を差し込む差し込み板３７，の介護者用バンド２６，に取り付け方の側面図である。差し込み板３７，は介護者用バンド２６，に固定３９，する。これにパジャマズボン挟み器具３５，を図のように回転して３６，差し込む、３８，は３５，の押さえる力、これでセット完了。
図７、は介助者用握り手の側面図と右図は握り手セット前の側面図である。図６，の右図にワンタッチ接続器雌４２，を固定した固定器をＢ型とする、介助者はこのＢ型を直接握る事も出来るが依り握り易くする為には介助者握り手５１，を取り着けた方が依り握り易い、形状は介護者握り手１６，と同じ。Ｂ型の全体を押さえる、全体押さえ枠４１，にワンタッチ接続器雄小４３，４４，を取り付けそれにベルト紐４７，とベルト長さ調節器５２，を握り手５１，に取り着け一体とする。
図８、は介助者握り手正面図と右図は握り手セット完了側面図である。正面図から観ると介助者握り手５１，に二本のベルト紐４７，が着きベルト長さ調節器５２，が二個とワンタッチ接続器雄小４３，が二個、全体押さえ枠４１，に固定されている当然Ｂ型にも二個のワンタッチ接続器雌４２，が着いている。
図９、は腹部側のパジャマズボン固定器である。理論的には背部の固定器と全く同じである、但し挟み器具の幅の大きさが半分以下である、大きな力が掛から無いからである、左図は正面図、側面図である。右図はセット完成側面図であるが背部側と違う所は介護者ベルトにバンド滑り枠４８，が着いている介護者バンド２６，の回り全部にエンビ板の枠がはまりその枠に３５，の挟み板３７，が固定されて居り介護者のお腹の大きさに依り左右にスライド出来る様に作製してある。握り手は無いのでワンタッチ接続き４２，は着かない、これをＣ型とする。
図１０、は（１）パッジャマズボン固定器Ｂ型の正面図、（２）Ｂ型器に介助者握り手５１，を装着した正面図、で有る。下図左はＢ型を直接握って居るパジャマズボン背面装着図。下図右はＢ型に介助者握り手５１，を取り付け握り手を手で握って居るパジャマズボン背面図である。
図１１、は腹部側パジャマズボン固定器Ｃ型図である。▲１▼パジャマズボン挟み器３５，を３５の挟み込み板３７，に回転４９，して挟み込み図。▲２▼固定後図、Ｃ型正面図である。▲３▼パジャマズボン固定完了、前側正面図である。５４，は介護者バンド２６，のワンタンチ接続器である。
図１２、は介護者搬送側面図である。▲１▼は介護者搬送側面図。介助者用バンド１５，介護者用バンド２６，脇バンド５，介護者握り手１，介助者握り手５１，。Ｂ型、Ｃ型固定器、介護者者バンド２６，の位置関係である。▲２▼は介助者搬送背面図。介護者が介護者握り手１６，の二段目を握って居る介助者バンドの位置関係である。▲３▼は介護者搬送背面図。介助者が介護者バンド２６，の介助者握り手Ｂ型、介助者握り手５１，を握って居る位置関係である。
☆搬送困難な（超肥満型、重症者等）の場合介助者バンドを逆に介護者に取り着けることに依り握り手が多くなり数人で搬送を楽にする事も出来る。また状況に依り前側、後ろ側を反転して着用使用も可能。双方のハンドは状況に応じてそれぞれ個別に使用出来る、介護者の介助者の握り方は介助者バンドの何処を握っても良い特定はしていない。
図１３、は介助者の介護者搬歩図である。（Ｉ）は介助者の介護者搬歩の介助者用バンドと介護者用バンドの位置関係、介護者握り手１６，を介護者が握り、介助者が介助者握り手Ｂ型、握り手５１，を握って搬歩している図。パジャマズボンを履いている想定。（ＩＩ）は外出用搬歩図である。介助者握り手Ａ型、介護者握り手１６，又は肩腕バンド１，等。介助者バンドにリックサックが装着出来る様に作製してある介護者の荷物その他が運送出来る。
図１４、は車椅子の前方落下防止、として介助者握り手、Ａ、Ｂ型の握り手に介助者用バンド１５，と同じ物を通し図の様に車椅子の後部背もたれに掛け止めする事に依り簡単に設置出来る。
【手続補正５】
【補正対象書類名】明細書
【補正対象項目名】０００４
【補正方法】変更
【補正の内容】
【０００４】  介護・介護者用バンドを使用する事に依り体の安定が良く介護者の怪我が少なくなり介助者の体のバランスも良く腰も非常に安定し痛む人が少なく成った。
【手続補正６】
【補正対象書類名】明細書
【補正対象項目名】０００５
【補正方法】変更
【補正の内容】
【０００５】
【図１】  介護を補助する為の介助者バンド正面図、背面図。
【図２】  介助者用、腰バンドの取り付け方背面図。
【図３】  介護者用、握り手側面図、断面図。背面・取り着け図。
【図４】  左図、介助者用ズボンバンド握り手Ａ型正面図、握り手普通バンドセット図。普通ズボンバンド取り付け背面図。
【図５】  パジャマズボン挟み器具３５，正面図、側面図。中側正面図、側面図。下図、パジャマズボン挟み方側面図、挟み完了図。
【図６】  左図、パジャマズボン挟み器具３５，の挟み込み板３７，を介護者用バンド２６，に取り付け方側面図。バンドセット完了側面図。
【図７】  左図、介助者用握り手側面図。握り手をＢ型にセット前側面図。
【図８】  左図、介助者用握り手正面図。握り手をＢ型にセット完了側面図。
【図９】  Ｃ型介護者用腹部側パジャマズボン固定器。左図、腹部側パジャマズボン取り付け器具３５，正面図、側面図。Ｃ型セット完了側面図。
【図１０】  （Ｉ）Ｂ型介護者用ベルト装着正面図。（ＩＩ）Ｂ型に介助者用握り手装着完了正面図。下図、Ｂ型、及び介助者用握り手の握り方。
【図１１】  Ｃ型腹部側パジャマズボン固定器。▲１▼腹部側パジャマズボン挟み器固定前の正面図。▲２▼固定後の正面図。下図、固定完了腹部側正面図。
【図１２】  介護者搬送図。
【図１３】  介助者の介護者搬歩背面図。
【図１４】  車椅子の前方落下防止バンド装着側面図。
【手続補正７】
【補正対象書類名】明細書
【補正対象項目名】０００６
【補正方法】変更
【補正の内容】
【０００６】  １，肩腕バンド          ２，胸バンド            ３，脇バンド
４，肩バンド            ５，脇バンド後ろ側      ６，垂直背骨バンド１
７，バンド調節器小      ８，ワンタッチ接続器小  ９，調節バンド
１０，ワンタッチ接続器雌大        １１，ワンタッチ接続器雄大
１２，バンド調節器大      １３，垂直背骨バンド２  １４，バンド調節器大
１５，介助者用バンド大    １６，介護者用握り手    １７，柄バンド紐
１８，エンビ板、芯        １９，綿、布            ２０，皮、ビニール
２１，Ａ型介助者用握り手  ２２，柄バンド紐    ２３，ワンタッチ接続器雌小
２４，ワンタッチ接続器雄小      ２５，回転し２３，に２４，を差し込む
２６，介護者用バンド      ２７，バンド通し        ２８，普通のズボン
２９，普通のズボン        ３０，反皮膚側エンビ板  ３１，皮膚側エンビ板
３２，ノコギリ形歯        ３３，中側板エンビ      ３４，挟み力
３５，パジャマズボン挟み器具              ３６，差し込み力
３７，３５，の挟み込み板                  ３８，挟み力
３９，３７，と２６，の固定                ４０，パジャマズボン
４１，Ｂ型全体押さえ枠エンビ板            ４２，ワンタッチ接続器雌小
４３，ワンタッチ接続器雄小                ４４，ワンタッチ差し込み先
４５，柄バンド調節紐                      ４６，介助者用握り手差し込み力
４７，介助者用握り手柄バンド紐            ４８，介護者用バンド滑り枠
４９，腹部用パジャマズボン挟み器具回転    ５０，ワンタッチ接続器大
５１，Ｂ型介助者用握り手
【手続補正書】
【提出日】平成16年7月9日(2004.7.9)
【手続補正１】
【補正対象書類名】実用新案登録請求の範囲
【補正対象項目名】全文
【補正方法】変更
【補正の内容】
【実用新案登録請求の範囲】
【請求項１】
介護者を搬送、搬歩する場合、介護者が介助者の体の掴む場所が少く転倒し怪我をする事、また介助者が腰を痛める事が多い、そこで介助者側に肩腕１、胸２、脇３、５、肩４、垂直背骨６、バンドを配置し背中側に介護者握り手１６、を二段に二個宛取り付け、掴み所を多く作製する、また腰を痛め無い様に力を分散する１３、為に腰バンド１５、と連結可能１１，とし全体は簡単に着脱出来る様に作製、このバンドは介助者用として単独に使用するが介護者の体重が超肥満型、全身麻痺、重症者の場合には介護者バンド用としても使用出来る図１５、このバンドを介助者用バンドとした。
【請求項２】
介護者を搬送、搬歩する場合、殆どがパジャマ姿であり介護者の掴み所がなく滑り落としたり転倒させたり怪我をさせる場合が多い、そこで介護者のパジャマズボンに簡単に挟み込み固定３５，が出来、力を入れても外れないバンドにし直接バンドも握れまたそれに握り手５１，も簡単に装着出来る様にし、介護者用のバンドとした。
【請求項３】
普通のバンドにも簡単に装着出来る握り手２１，図４，かなり元気な患者の歩行移動用として作製しＡ型介護者用握り手とした。
【手続補正２】
【補正対象書類名】明細書
【補正対象項目名】０００１
【補正方法】変更
【補正の内容】
【０００１】  家庭介護及び病院介護に於いて介護者の怪我及び介助者の腰が悪く成る場合が非常に多い、介護者を搬送する場合、ベットからの乗降、車椅子への乗降、トイレへの搬送又は搬歩する場合等、介護者が介護者の掴み所が少ない事に依り滑り落ち怪我をする事が多い、又介助者が介護者の掴み所があまり無く不安定で力の入れ具合が非常に悪く腰を痛める事が多い。これを解決する為にそれぞれのバンドを作製した。
【手続補正３】
【補正対象書類名】明細書
【補正対象項目名】０００２
【補正方法】変更
【補正の内容】
【０００２】  先ず介護者が介助者の体を掴み易い様に、肩腕、胸、脇、肩、腰バンド。及び介護者用握り手、を作製し介助者自身に着用する、介護者はどの部分でも掴める事が出来る様にする。介護者の大部分はパジャマ姿である、依って介助者が介護者の体を扱い易い様に介護者のパジャマズボンに簡単に取り着け可能な介護者用バンドを作製する、このまま直接バンドは握れるが依り握り易い様に介助者用握り手も作製し介護者用パンドに簡単に取り着けられる様にする、又普通のズボンバンドにも簡単に取り着けられるＡ形介助者用握り手も作製する。この両者のバンドは簡単に着脱出来る物とする、又個々のバンドは単独でも使用可能な物とする。
【手続補正４】
【補正対象書類名】明細書
【補正対象項目名】０００３
【補正方法】変更
【補正の内容】
【０００３】  図１、は介護を補助する為の介護者用バンドの正面図と背面図である。１，は肩バンド、少し幅広で個人に依り長さは調節出来る、登山用リックと同じ。２，は胸バンド、後ろからの力を受け止める。３，は脇バンド前側、これも同じく後ろ側の力を分散受け止める。４，は肩バンド、介護者握り手１６，の力を１，肩腕バンドと６，垂直背骨バンドとで力を分散受け止める。５，は後ろ側の脇バンドで４，と同じ働き。６，は垂直背骨バンド１，で介護者握り手１６，の力と、介助者用腰バンド１５，を装着した場合の力の伝導役でもある。７，はバンド長さ調節器。８，はワンタッチ接続器小で介助者バンドを簡単に着脱可能な物とする。９，は調節バンド。１０，は腰バンドとの連結ワンタッチ接続器雌。
図２、は図１に介助者用の腰バンド１５，を取り着けた背面図である。介護者が重症者、肥満型の場合に腰に力を無理なく分散する為に使用する、非常に腰に良い。１０，のワンタッチ接続器雌に１１，ワンタッチ接続器雄を連結する。１２，は紐の調節器大。１３，は垂直背骨バンド２で上部バンドの力を介助者腰バンド１５，に伝え分散する。１４，は長さ調節紐大、介助者用腰バンド１５，の腹部側はワンタッチ接続器５３，が着いている。
図３、は介護者握り手正面図とａ断面図と１図の背面図に介助者握り手１６，の取り付け位置図である。４，肩バンドの中央上と両肩腕バンド１，下側に介護者が肩越しに握り易い様に図の如く少しハの字形に二段に取り着ける。１６，は介護者用握り手正面図、１７，は取り付け紐バンド紐。ａの断面図１８，はエンビ板、握り腰の有る様に入れる、１９，は綿、布等、２０，はビニール、皮等。介護者は握り手だけで無く総てのバンドを自由に握れる。このバンドだけで有る程度元気な介護者で有れば充分である。
図４、は有る程度元気な介護者用の普通のズボンバンドに取り着けられるＡ型介助者用握り手。正面図、バンド取り付け図、ズボンバンド取り付け背面図である。トイレ、散歩、搬歩等、自動車の乗降、車椅子の乗降等に使用、簡単にワンタッチで取り付け可能。２１，はＡ型介助者用握り手、２２，はバンド紐、２３，はワンタッチ接続器雌、２４，はワンタッチ接続器雄。２２，バンド紐を普通のズボンバンド２６，に通し回転２５，させ２４，を２３，に差し込みセット完了。右図はＡ型二個を背面に普通のバンド２９，に取り着けた背面完成図である。
図５、パジャマズボン挟み器具３５の正面図と側面図、中側挟み器具の正面図と側面図、パジャマズボンの挟み方側面図と挟み完了側面図図である。パジャマズボンを挟みなかなか抜けない器具である材料はエンビ板。３０，は皮膚側、３１，はその反対側。３２，はノコギリ形として布を引っ掛ける役目とする。皮膚側板３０，外側板３１，中側板３３，二枚、とで器具は成り立ち挟み方はノコギリ歯３２，の５箇所でパジャマズボン４０，の上部を３４，で挟み止める。
図６、はパジャマズボン挟み器具３５，を差し込む差し込み板３７，の介護者用バンド２６，に取り付け方の側面図である。差し込み板３７，は介護者用バンド２６，に固定３９，する。これにパジャマズボン挟み器具３５，を図のように回転して３６，差し込む、３８，は３５，の押さえる力、これでセット完了。
図７、は介助者用握り手の側面図と右図は握り手セット前の側面図である。図６，の右図にワンタッチ接続器雌４２，を固定した固定器をＢ型とする、介助者はこのＢ型を直接握る事も出来るが依り握り易くする為には介助者握り手５１，を取り着けた方が依り握り易い、形状は介護者握り手１６，と同じ。Ｂ型の全体を押さえる、全体押さえ枠４１，にワンタッチ接続器雄小４３，４４，を取り付けそれにベルト紐４７，とベルト長さ調節器５２，を握り手５１，に取り着け一体とする。
図８、は介助者握り手正面図と右図は握り手セット完了側面図である。正面図から観ると介助者握り手５１，に二本のベルト紐４７，が着きベルト長さ調節器５２，が二個とワンタッチ接続器雄小４３，が二個、全体押さえ枠４１，に固定されている当然Ｂ型にも二個のワンタッチ接続器雌４２，が着いている。
図９、は腹部側のパジャマズボン固定器である。理論的には背部の固定器と全く同じである、但し挟み器具の幅の大きさが半分以下である、大きな力が掛から無いからである、左図は正面図、側面図である。右図はセット完成側面図であるが背部側と違う所は介護者ベルトにバンド滑り枠４８，が着いている介護者バンド２６，の回り全部にエンビ板の枠がはまりその枠に３５，の挟み板３７，が固定されて居り介護者のお腹の大きさに依り左右にスライド出来る様に作製してある。握り手は無いのでワンタッチ接続き４２，は着かない、これをＣ型とする。
図１０、は（１）パッジャマズボン固定器Ｂ型の正面図、（２）Ｂ型器に介助者握り手５１，を装着した正面図、で有る。下図左はＢ型を直接握って居るパジャマズボン背面装着図。下図右はＢ型に介助者握り手５１，を取り付け握り手を手で握って居るパジャマズボン背面図である。
図１１、は腹部側パジャマズボン固定器Ｃ型図である。▲１▼パジャマズボン挟み器３５，を３５の挟み込み板３７，に回転４９，して挟み込み図。▲２▼固定後図、Ｃ型正面図である。▲３▼パジャマズボン固定完了、前側正面図である。５４，は介護者バンド２６，のワンタッチ接続器である。
図１２、は介護者搬送側面図である。▲１▼は介護者搬送側面図。介助者用バンド１５，介護者用バンド２６，脇バンド５，介護者握り手１，介助者握り手５１，。Ｂ型、Ｃ型固定器、介護者者バンド２６，の位置関係である。▲２▼は介助者搬送背面図。介護者が介護者握り手１６，の二段目を握って居る介助者バンドの位置関係である。▲３▼は介護者搬送背面図。介助者が介護者バンド２６，の介助者握り手Ｂ型、介助者握り手５１，を握って居る位置関係である。
図１３、は介助者の介護者搬歩図である。（Ｉ）は介助者の介護者搬歩の介助者用バンドと介護者用バンドの位置関係、介護者握り手１６，を介護者が握り、介助者が介助者握り手Ｂ型、握り手５１，を握って搬歩している図。パジャマズボンを履いている想定。（ＩＩ）は外出用搬歩図である。介助者握り手Ａ型、介護者握り手１６，又は肩腕バンド１，等。介助者バンドにリックサックが装着出来る様に作製してある介護者の荷物その他が運送出来る。
図１４、は車椅子の前方落下防止、として介助者握り手、Ａ、Ｂ型の握り手に介助者用バンド１５，と同じ物を通し図の様に車椅子の後部背もたれに掛け止めする事に依り簡単に設置出来る。
図１５、搬送困難（超肥満型、全身麻痺、重症者等）の場合の搬送図である。介助者バンドを逆に介護者に取り着けることに依り握り手が多くなり前後ろ数人で搬送を楽にする事も出来る。また状況に依り図の如く前側、後ろ側を反転して着用使用も可能である。双方のハンドは状況に応じてそれぞれ個別に使用出来る、介護者の介助者の握り方は介助者バンドの何処を握っても良い握り易い場所を握る特定はしていない。
【手続補正５】
【補正対象書類名】明細書
【補正対象項目名】０００４
【補正方法】変更
【補正の内容】
【０００４】  介護・介護者用バンドを使用する事に依り体の安定が良く介護者の怪我が少なくなり介助者の体のバランスも良く腰も非常に安定し痛む人が少なく成った。
【手続補正６】
【補正対象書類名】明細書
【補正対象項目名】０００５
【補正方法】変更
【補正の内容】
【０００５】
【図１】  介護を補助する為の介助者バンド正面図、背面図。
【図２】  介助者用、腰バンドの取り付け方背面図。
【図３】  介護者用、握り手側面図、断面図。背面・取り着け図。
【図４】  左図、介助者用ズボンバンド握り手Ａ型正面図、握り手普通バンドセット図。普通ズボンバンド取り付け背面図。
【図５】  パジャマズボン挟み器具３５，正面図、側面図。中側正面図、側面図。下図、パジャマズボン挟み方側面図、挟み完了図。
【図６】  左図、パジャマズボン挟み器具３５，の挟み込み板３７，を介護者用バンド２６，に取り付け方側面図。バンドセット完了側面図。
【図７】  左図、介助者用握り手側面図。握り手をＢ型にセット前側面図。
【図８】  左図、介助者用握り手正面図。握り手をＢ型にセット完了側面図。
【図９】  Ｃ型介護者用腹部側パジャマズボン固定器。左図、腹部側パジャマズボン取り付け器具３５，正面図、側面図。Ｃ型セット完了側面図。
【図１０】  （Ｉ）Ｂ型介護者用ベルト装着正面図。（ＩＩ）Ｂ型に介助者用握り手装着完了正面図。下図、Ｂ型、及び介助者用握り手の握り方。
【図１１】  Ｃ型腹部側パジャマズボン固定器。▲１▼腹部側パジャマズボン挟み器固定前の正面図。▲２▼固定後の正面図。下図、固定完了腹部側正面図。
【図１２】  介護者搬送図。
【図１３】  介助者の介護者搬歩背面図。
【図１４】  車椅子の前方落下防止バンド装着側面図。
【図１５】  介助者用バンドを搬送し難い介護者（超肥満型、全身麻痺、重症者）に使用した時の搬送図。
【手続補正７】
【補正対象書類名】明細書
【補正対象項目名】０００６
【補正方法】変更
【補正の内容】
【０００６】  １，肩腕バンド          ２，胸バンド            ３，脇バンド
４，肩バンド            ５，脇バンド後ろ側      ６，垂直背骨バンド１
７，バンド調節器小      ８，ワンタッチ接続器小  ９，調節バンド
１０，ワンタッチ接続器雌大        １１，ワンタッチ接続器雄大
１２，バンド調節器大      １３，垂直背骨バンド２  １４，バンド調節器大
１５，介助者用バンド大    １６，介護者用握り手    １７，柄バンド紐
１８，エンビ板、芯        １９，綿、布            ２０，皮、ビニール
２１，Ａ型介助者用握り手  ２２，柄バンド紐    ２３，ワンタッチ接続器雌小
２４，ワンタッチ接続器雄小      ２５，回転し２３，に２４，を差し込む
２６，介護者用バンド      ２７，バンド通し        ２８，普通のズボン
２９，普通のズボン        ３０，反皮膚側エンビ板  ３１，皮膚側エンビ板
３２，ノコギリ形歯        ３３，中側板エンビ      ３４，挟み力
３５，パジャマズボン挟み器具              ３６，差し込み力
３７，３５，の挟み込み板                  ３８，挟み力
３９，３７，と２６，の固定                ４０，パジャマズボン
４１，Ｂ型全体押さえ枠エンビ板            ４２，ワンタッチ接続器雌小
４３，ワンタッチ接続器雄小                ４４，ワンタッチ差し込み先
４５，柄バンド調節紐                      ４６，介助者用握り手差し込み力
４７，介助者用握り手柄バンド紐            ４８，介護者用バンド滑り枠
４９，腹部用パジャマズボン挟み器具回転    ５０，ワンタッチ接続器大
５１，Ｂ型介助者用握り手
【手続補正８】
【補正対象書類名】図面
【補正対象項目名】全図
【補正方法】変更
【補正の内容】
【図１】
0003118095.tif 000028
【図２】
0003118095.tif 000029
【図３】
0003118095.tif 000030
【図４】
0003118095.tif 000031
【図５】
0003118095.tif 000032
【図６】
0003118095.tif 000033
【図７】
0003118095.tif 000034
【図８】
0003118095.tif 000035
【図９】
0003118095.tif 000036
【図１０】
0003118095.tif 000037
【図１１】
0003118095.tif 000038
【図１２】
0003118095.tif 000039
【図１３】
0003118095.tif 000040
【図１４】
0003118095.tif 000041
【図１５】
0003118095.tif 000042
【手続補正書】
【提出日】平成17年3月1日(2005.3.1)
【手続補正１】
【補正対象書類名】実用新案登録請求の範囲
【補正対象項目名】全文
【補正方法】変更
【補正の内容】
【実用新案登録請求の範囲】
【請求項１】
介助者側に肩腕１、胸２、脇３、５、肩４、垂直背骨６、バンドを配置し背中側に介護者握り手１６、を二段に二個宛取り付け、掴み所を多く作製する、また力を分散する１３、為に腰バンド１５、と連結１１，とし全体は簡単に介助者より着脱出来る様に作製、このバンドを介助者用バンド。
【請求項２】
介護者のパジャマズボンに簡単に挟み込み固定３５，が出来るバンドを作製し直接バンドも握れ、またそれに握り手５１，も簡単に装着出来る様にし、このバンドを介護者用バンド。
【請求項３】
普通のバンドにも簡単に装着出来る握り手２１，を作製し図４，Ａ型，この握り手を介助者用握り手。
【手続補正書】
【提出日】平成17年7月14日(2005.7.14)
【手続補正１】
【補正対象書類名】実用新案登録請求の範囲
【補正対象項目名】全文
【補正方法】変更
【補正の内容】
【実用新案登録請求の範囲】
【請求項１】
介護者が移動する場合に介助者の保護を受け易くする為の介助者用の握り手バンド。
【請求項２】
介助者が介護者を搬送させ易くする為の介護者用の握り手バンド。
【請求項３】
介護者の普通のバンドに装着出来る介助者用の握り手。
【手続補正書】
【提出日】平成17年9月29日(2005.9.29)
【手続補正１】
【補正対象書類名】実用新案登録請求の範囲
【補正対象項目名】全文
【補正方法】変更
【補正の内容】
【実用新案登録請求の範囲】
【請求項１】
介助者側に取り付ける、肩腕バンド１、胸バンド、脇バンド３、５、肩バンド４、垂直背骨バンド６からなり、背中側に介護者握り手１６、を二段に二個宛取り付け、ワタッチ接続器で全体を連結可能とし簡単に着脱出来る様に作製した介護者用バンド。
【請求項２】
請求項１記載の介助者用バンドにおいて、介助者が介護者を搬送させ易くした介護者用の握り手バンド。
【請求項３】
請求項１記載の介助者用バンドにおいて、介護者の普通のバンドに装着した介助者用の握り手。